【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
第１方向に延在または点在し、前記第１方向と交差する第２方向に交互に配置される第１電極と第２電極とを備えた裏面電極型太陽電池セルであって、
前記第２方向において隣り合う前記第１電極と前記第２電極との間隔が第１間隔となる第１領域と、
前記第２方向において隣り合う前記第１電極と前記第２電極との間隔が前記第１間隔よりも広い第２間隔となる第２領域とを含み、
前記第１領域は前記第２方向において前記第２領域よりも前記裏面電極型太陽電池セルの中心側に配置されている、裏面電極型太陽電池セル。
【請求項２】
前記裏面電極型太陽電池セルと配線シートとを接続する際に前記裏面電極型太陽電池セルと前記配線シートとの相対的な位置を決めるための位置決め用基準部を備え、
前記位置決め用基準部は前記裏面電極型太陽電池セルの前記第１方向における両端部にそれぞれ配置される、請求項１に記載の裏面電極型太陽電池セル。
【請求項３】
前記第１領域と前記第２領域との間に、
前記第２方向において隣り合う前記第１電極と前記第２電極との間隔が前記第１間隔よりも広く前記第２間隔より狭い第３間隔となる第３領域をさらに含み、
前記第３領域は前記第１領域と前記第２領域との間に配置される、請求項１または２に記載の裏面電極型太陽電池セル。
【請求項４】
裏面電極型太陽電池セルが配置されて接続されるセル配置部を備えた配線シートであって、
第１方向に延在または点在し、前記第１方向と交差する第２方向に交互に配置される第１配線と第２配線とを前記セル配置部に備え、
前記セル配置部は、
前記第２方向において隣り合う前記第１配線と前記第２配線との間隔が第１間隔となる第１領域と、
前記第２方向において隣り合う前記第１配線と前記第２配線との間隔が前記第１間隔よりも広い第２間隔となる第２領域とを含み、
前記第１領域は前記第２方向において前記第２領域よりも前記セル配置部の中心側に配置されている、配線シート。
【請求項５】
前記第２領域における前記第１配線および前記第２配線の前記第２方向の幅は、前記第１領域における前記第１配線および前記第２配線の前記第２方向の幅よりも広い、請求項４に記載の配線シート。
【請求項６】
前記裏面電極型太陽電池セルと前記配線シートとを接続する際に前記裏面電極型太陽電池セルと前記配線シートとの相対的な位置を決めるための位置決め用基準部を備え、
前記位置決め用基準部は前記セル配置部の前記第１方向における両端部にそれぞれ配置される、請求項４または５に記載の配線シート。
【請求項７】
前記セル配置部は、
前記第１領域と前記第２領域との間に、
前記第２方向において隣り合う前記第１電極と前記第２電極との間隔が前記第１間隔よりも広く前記第２間隔より狭い第３間隔となる第３領域をさらに含み、
前記第３領域は前記第１領域と前記第２領域との間に配置される、請求項４〜６のいずれか１項に記載の配線シート。
【請求項８】
請求項１〜３のいずれか１項に記載の裏面電極型太陽電池セルと、
請求項４〜７のいずれか１項に記載の配線シートとを備える、配線シート付き太陽電池セル。
【請求項９】
請求項８に記載の配線シート付き太陽電池セルを備える、太陽電池モジュール。
【手続補正２】
【補正対象書類名】明細書
【補正対象項目名】００１０
【補正方法】変更
【補正の内容】
【００１０】
上記目的を達成するために本発明に係る裏面電極型太陽電池セルは、第１方向に延在または点在し、前記第１方向と交差する第２方向に交互に配置される第１電極と第２電極とを備え、前記第２方向において隣り合う前記第１電極と前記第２電極との間隔が第１間隔となる第１領域と、前記第２方向において隣り合う前記第１電極と前記第２電極との間隔が前記第１間隔よりも広い第２間隔となる第２領域とを含み、前記第１領域は前記第２方向において前記第２領域よりも前記裏面電極型太陽電池セルの中心側に配置されている構成とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、上記構成の裏面電極型太陽電池セルにおいて、前記裏面電極型太陽電池セルと配線シートとを接続する際に前記裏面電極型太陽電池セルと前記配線シートとの相対的な位置を決めるための位置決め用基準部を備え、前記位置決め用基準部は前記裏面電極型太陽電池セルの前記第１方向における両端部にそれぞれ配置される構成にすることが好ましい。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
また、上記構成のいずれかの裏面電極型太陽電池セルにおいて、前記第１領域と前記第２領域との間に、前記第２方向において隣り合う前記第１電極と前記第２電極との間隔が前記第１間隔よりも広く前記第２間隔より狭い第３間隔となる第３領域をさらに含み、前記第３領域は前記第１領域と前記第２領域との間に配置される構成にすることが好ましい。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
上記目的を達成するために本発明に係る配線シートは、裏面電極型太陽電池セルが配置されて接続されるセル配置部を備えた配線シートであって、第１方向に延在または点在し、前記第１方向と交差する第２方向に交互に配置される第１配線と第２配線とを前記セル配置部に備え、前記セル配置部は、前記第２方向において隣り合う前記第１配線と前記第２配線との間隔が第１間隔となる第１領域と、前記第２方向において隣り合う前記第１配線と前記第２配線との間隔が前記第１間隔よりも広い第２間隔となる第２領域とを含み、前記第１領域は前記第２方向において前記第２領域よりも前記セル配置部の中心側に配置されている構成とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
また、上記構成の配線シートにおいて、前記第２領域における前記第１配線および前記第２配線の前記第２方向の幅は、前記第１領域における前記第１配線および前記第２配線の前記第２方向の幅よりも広い構成にすることが好ましい。
【手続補正１２】
【補正対象書類名】明細書
【補正対象項目名】００２０
【補正方法】変更
【補正の内容】
【００２０】
また、上記構成のいずれかの配線シートにおいて、前記裏面電極型太陽電池セルと前記配線シートとを接続する際に前記裏面電極型太陽電池セルと前記配線シートとの相対的な位置を決めるための位置決め用基準部を備え、前記位置決め用基準部は前記セル配置部の前記第１方向における両端部にそれぞれ配置される構成にすることが好ましい。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
また、上記構成のいずれかの配線シートにおいて、前記セル配置部は、前記第１領域と前記第２領域との間に、前記第２方向において隣り合う前記第１電極と前記第２電極との間隔が前記第１間隔よりも広く前記第２間隔より狭い第３間隔となる第３領域をさらに含み、前記第３領域は前記第１領域と前記第２領域との間に配置される構成にすることが好ましい。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
上記目的を達成するために本発明に係る配線シート付き太陽電池セルは、上記構成のいずれかの裏面電極型太陽電池セルと、上記構成のいずれかの配線シートとを備える構成とする。
【手続補正２０】
【補正対象書類名】明細書
【補正対象項目名】００２８
【補正方法】変更
【補正の内容】
【００２８】
上記目的を達成するために本発明に係る太陽電池モジュールは、上記構成の配線シート付き太陽電池セルを備える構成とする。